(57)【特許請求の範囲】
【請求項１】
双方向に対する回転操作及び多方向に対する押圧操作、並びに当該多方向の中心部に対する中心押圧操作が可能な多機能入力手段と、
上記多機能入力手段に対する操作に応じて編集対象画像に対する画像処理を行う画像処理手段と
を具え、
上記画像処理手段は、
上記多機能入力装置が連続的に上記中心押圧操作されたとき、操作モードを回転モードから拡大縮小モードへ又は上記拡大縮小モードから上記回転モードへ切り替え、
上記操作モードが上記回転モードに設定されているとき、上記回転操作に応じて上記編集対象画像を回転し、上記操作モードが上記拡大縮小モードに設定されているとき、上記回転操作に応じて上記編集対象画像を拡大又は縮小し、
上記多機能入力手段が上記多方向のうちの一つの方向に押圧操作されたとき、上記編集対象画像を押圧操作された方向に移動するとともに、上記編集対象画像が当該編集対象画像を表示する表示可能範囲より大きな画像移動範囲の外に移動するよう上記多機能入力手段が押圧操作されたとき、当該編集対象画像の中心を上記画像移動範囲内に留め、
上記多機能入力装置が瞬間的に上記中心押圧操作されたとき、上記編集対象画像に対する編集操作を確定する
ことを特徴とする画像編集装置。
【請求項２】
双方向に対する回転操作及び多方向に対する押圧操作、並びに当該多方向の中心部に対する中心押圧操作が可能な多機能入力手段を介して入力された操作に応じて、編集対象画像に対して画像処理を施す画像編集方法において、
上記多機能入力装置が連続的に上記中心押圧操作されたとき、操作モードを回転モードから拡大縮小モードへ又は上記拡大縮小モードから上記回転モードへ切り替えるモード切替ステップと、
上記操作モードが上記回転モードに設定されているとき、上記回転操作に応じて上記編集対象画像を回転する画像回転ステップと、
上記操作モードが上記拡大縮小モードに設定されているとき、上記回転操作に応じて上記編集対象画像を拡大又は縮小する画像拡大縮小ステップと、
上記多機能入力手段が上記多方向のうちの一つの方向に押圧操作されたとき、上記編集対象画像を押圧操作された方向に移動するとともに、上記編集対象画像が当該編集対象画像を表示する表示可能範囲より大きな画像移動範囲の外に移動するよう上記多機能入力手段が押圧操作されたとき、当該編集対象画像の中心を上記画像移動範囲内に留める画像移動ステップと、
上記多機能入力装置が瞬間的に上記中心押圧操作されたとき、上記編集対象画像に対する編集操作を確定する編集確定ステップと
を具えることを特徴とする画像編集方法。
【発明の詳細な説明】
【０００１】
【発明の属する技術分野】
本発明は画像編集装置及び画像編集方法に関し、例えば携帯電話機に適用して好適なものである。
【０００２】
【従来の技術】
近年の携帯電話機の性能向上に伴い、画像の撮影機能を有するカメラ付きの携帯電話機が実用化されている。カメラ付きの携帯電話機においては、内蔵されたカメラ部を介して画像を撮影し、当該撮影した画像を表示部に表示したり、メールに添付して他の携帯電話機に送信することができる。
【０００３】
【発明が解決しようとする課題】
かかるカメラ付きの携帯電話機において、撮影した画像の拡大縮小（すなわち倍率変更）や移動等の画像編集操作を行い得るようにすれば、より一層携帯電話機の使い勝手を向上することができると考えられる。
【０００４】
しかしながら携帯電話機において上述した画像編集操作を入力する場合、上、下、右及び左の４方向の移動ボタンに加え、画像の拡大ボタン及び縮小ボタン、２つの回転ボタン（右回転及び左回転）が必要であり、操作に要するボタンが多く使い勝手が悪いという問題があった。
【０００５】
また、ボタンによる画像の回転操作は直感性に欠けるとともに角度の微調整を行いにくく、使い勝手が悪いという問題があった。
【０００６】
本発明は以上の点を考慮してなされたもので、簡易な操作で、様々な画像の編集処理を容易に行い得る画像編集装置及び画像編集方法を提案しようとするものである。
【０００７】
【課題を解決するための手段】
かかる課題を解決するため本発明においては、双方向に対する回転操作及び多方向に対する押圧操作並びに当該多方向の中心部に対する中心押圧操作が可能な多機能入力手段と、多機能入力手段に対する操作に応じて編集対象画像に対する画像処理を行う画像処理手段とを画像編集装置に設け、画像処理手段は、多機能入力装置が連続的に中心押圧操作されたとき、操作モードを回転モードから拡大縮小モードへ又は拡大縮小モードから回転モードへ切り替え、操作モードが回転モードに設定されているとき、回転操作に応じて編集対象画像を回転し、操作モードが拡大縮小モードに設定されているとき、上記回転操作に応じて上記編集対象画像を拡大又は縮小し、多機能入力手段が多方向のうちの一つの方向に押圧操作されたとき、編集対象画像を押圧操作された方向に移動するとともに、編集対象画像が当該編集対象画像を表示する表示可能範囲より大きな画像移動範囲の外に移動するよう多機能入力手段が押圧操作されたとき、当該編集対象画像の中心を画像移動範囲内に留め、多機能入力装置が瞬間的に中心押圧操作されたとき、編集対象画像に対する編集操作を確定するようにした。
【００１１】
多機能入力手段に対する多方向押圧操作に応じて、編集対象画像を押圧操作された方向に移動し、多機能入力手段に対する回転操作に応じて、回転モード時には編集対象画像を回転し拡大縮小モード時には編集対象画像を拡大又は縮小し、多機能入力手段に対する中心押圧操作に応じて、モード切替又は編集対象画像に対する編集操作の確定を行うようにしたことにより、多機能入力手段のみを操作するだけで、容易かつ直感的に画像編集処理を行うことができる。
【００１３】
【発明の実施の形態】
以下図面について、本発明の一実施の形態を詳述する。
【００１４】
（１）携帯電話機の全体構成
図１において、１は全体として本発明による携帯電話機を示し、中央のヒンジ部２を境に下側筐体３と上側筐体４とに分けられており、当該ヒンジ部２を介して折り畳み可能に形成されている。
【００１５】
下側筐体３においては、その背面における上端右側に送受信用のアンテナ５が伸縮可能な状態で取り付けられており、当該アンテナ５を介して基地局（図示せず）との間で電波を送受信するようになされている。また下側筐体３には、その表面下部に通話時のユーザの音声を集音するマイクロホン６が設けられている。
【００１６】
さらに下側筐体３には、その表面中央に「０」〜「９」の数字キー、発呼キー、リダイアルキー、終話及び電源キー、クリアキー及び電子メールキー等の操作キー８が設けられているとともに、当該操作キー８の上側に、上下左右の４方向及び中心部への押圧、並びに左右に回転操作自在な円盤状の回転押圧操作子（以下、ディスクジョグと呼ぶ）９が設けられており、操作キー８及びディスクジョグ９の操作により、メニューの項目選択、発呼処理、電子メール文の作成やデータ通信等の種々の処理を実行し得るようになされている。
【００１７】
例えば携帯電話機１は、ユーザによるディスクジョグ９の回転操作に応じて表示部１０に表示された電話番号リストの中から所望の電話番号が選択された後、当該ジョグダイヤル９の中央ボタン（後述）が押下されると、選択された電話番号を確定して当該電話番号に対して自動的に発呼処理を行うようになされている。
【００１８】
なお下側筐体３には、その背面側に図示しないバッテリパックが装着されており、操作キー８の操作により電源が投入されると、当該バッテリパックから内部の回路ブロックに対して電力を供給して動作して動作可能な状態に起動するようになされている。
【００１９】
一方、上側筐体４の上端中央部には回動自在なカメラ部１３が設けられており、当該カメラ部１３のＣＣＤ(Charge Coupled Device) カメラ１４を介して所望の撮影対象を撮影し、その画像を携帯電話機１に内蔵されたＲＡＭ（Random Access Memory）やメモリスティック（後述）に保存し得るようになされている。
【００２０】
ところでこのカメラ部１３は、ユーザによって反転されて位置決めされた場合、図２に示すように、当該カメラ部１３の背面側中央部に設けられたスピーカ１５が正面に位置することになり、これにより通常の音声通話状態に切り換わるようになされている。
【００２１】
また、上側筐体４の正面におけるカメラ部１３の下方には、ＬＣＤ（ LiquidCrystal Display ）でなる表示部１０が設けられており、当該表示部１０に各種機能に対応したメニュー、電波の受信状態、電池残量、発信履歴、着信履歴、電子メール文、電話帳、スケジュール、カメラ部１３で撮影した画像等のあらゆる情報を表示し得るようになされている。
【００２２】
そしてこの携帯電話機１においては、カメラ部１３で撮影した画像や他の携帯電話機から送信された画像、あるいはインターネット上のサーバからダウンロードした画像等の様々な画像に対し、多機能入力手段としてのディスクジョグ９を介した操作によって拡大縮小（すなわち倍率変更）、回転、上下左右への移動といった様々な画像編集処理を容易に施し得るようになされている。
【００２３】
例えばインターネット上のサーバからダウンロードした画像の画像サイズが表示部１０の表示サイズよりも小さい場合、ユーザは上述した画像編集処理によって当該画像を拡大し、当該ダウンロード画像を表示部１０全体に表示することができる。また、カメラ部１３で撮影した画像が傾いている場合、ユーザは上述した画像編集処理によって当該画像を回転し、当該撮影画像を水平に修正して表示することができる。
【００２４】
また上側筐体４の右側面上部には、着脱自在なメモリスティック（ソニー（株）商標）１５を挿着するためのメモリスティックスロット１６が設けられている。
【００２５】
因みにメモリスティック１５は、本願出願人であるソニー株式会社によって開発されたフラッシュメモリカードの一種で、小型薄型のプラスティックケース内に電気的に書換えや消去可能な不揮発メモリであるＥＥＰＲＯＭ（Electrically Erasable Programmable Read Only Memory ）でなるフラッシュメモリ素子を格納したものであり、画像や音声、音楽等の各種データの書き込み及び読み出しが可能となっている。
【００２６】
従って携帯電話機１は、メモリスティック１５を着脱自在に挿着して用いることが可能な構成としていることにより、当該メモリスティック１５を介して他の電子機器との間でデータの共有化を図ることができるようになされている。
【００２７】
（２）携帯電話機の回路構成
次に、携帯電話機１の回路構成について図３を用いて説明する。実際上携帯電話機１においては、当該携帯電話機１の各種機能を統括的に制御するＣＰＵ（Central Processing Unit ）２０に対し、操作キー８、ディスクジョグ９、表示部１０、カメラ部１３、メモリスティックスロット１６、送受信部２１、ＣＰＵ２０のワークエリアとして用いられるとともに電話帳リストや画像データの記憶手段としても用いられるＲＡＭ２２、及びＣＰＵ２０が実行する画像編集プログラム（後述）等の各種プログラムやデバイスドライバを記憶したＲＯＭ２３が接続されている。
【００２８】
そして携帯電話機１のＣＰＵ２０は、操作キー８やディスクジョグ９を介して入力された各種処理命令に応じて送受信部２１を制御することにより、発呼処理、終話処理、撮影処理や映像編集処理等の各種処理を実行すると共に、各種処理命令に応じた情報を表示部１０に表示するようになされている。
【００２９】
例えば携帯電話機１のＣＰＵ２０は、ディスクジョグ９を介して入力された指示情報に応じてＲＡＭ２３から電話番号リストを読み出すと共に、当該電話番号リストの一部を順次表示部１０に表示し、さらに選択された電話番号に対し発信処理を行うようになされている。
【００３０】
この場合携帯電話機１は、マイクロホン６で集音した音声信号を送受信部２１で音声データに変換した後変調処理を施し、アンテナ５を介して基地局（図示せず）へ送信する。
【００３１】
また携帯電話機１は、アンテナ５を介して受信した受信信号に対し送受信部２１で復調処理を施し、その結果得られる音声データをアナログ音声信号に変換した後、スピーカ１５を介して出力する。
【００３２】
（３）ディスクジョグの構成
次に、多機能入力手段としてのディスクジョグ９の構成を説明する。図４に示すようにディスクジョグ９は、ベース３０、ホルダ３１、スケール３２、ダイヤル本体３３、操作ダイヤル３４及び中央ボタン３５で構成される。
【００３３】
ベース３０は例えばプラスチック等の絶縁性樹脂でなる略矩形板であり、その表面中央部には中央スイッチ３６Ｘが設けられているとともに、当該中央スイッチ３６Ｘの周囲には、４個の周辺スイッチ３６Ａ〜３６Ｄがそれぞれ等距離かつ９０°間隔で設けられている。これら５個のスイッチ３６（３６Ａ〜３６Ｄ及び３６Ｘ）はそれぞれプッシュスイッチでなり、ディスクジョグインターフェース２４内の押圧検出部２５と電気的に接続されている。
【００３４】
ベース３０の表面四隅には、上動規制片３７と、その両側にやや離開して設けられた２個の回動規制片３８とからなるホルダ規制部３９がそれぞれ設けられている。一方ホルダ３１の周縁部には、この各ホルダ規制部３９に対応する位置に４個の被規制片４０が突出して形成されており、各上動規制片３７の上端内側（すなわちベース３０の中央側）に向けて設けられた爪部３７Ａによって各被規制片４０の上方移動量を制限するとともに、各回動規制片３８によって各被規制片４０の回動を規制する。これによりベース３０は、ホルダ３１の回動を規制しつつ、上動規制片３７で許容される範囲内でホルダ３１を揺動自在に保持するようになされている。
【００３５】
ホルダ３１は絶縁性樹脂の円板であり、その表面中央部にはダイヤル本体３３を回動自在に保持するダイヤル保持筒４１が突出して設けられている。このダイヤル保持筒４１の内面はホルダ３１の裏面まで貫通して開口しており、当該ダイヤル保持筒４１の内部に中央スイッチ押圧子３５を上下動可能な状態で収納する。
【００３６】
また、ホルダ３１の表面周縁部における被規制片４０の間には４個のダイヤル本体保持片４４が設けられており、当該ダイヤル本体保持片４４の上端内側（すなわちホルダ３１の中央側）に向けて設けられた爪部４４Ａによって、裏面にスケール３２が固定されたダイヤル本体３３を回動自在に保持するようになされている。
【００３７】
スケール３２は円盤状の金属板でなり、その中心部にダイヤル保持筒４１を挿通する孔４８が設けられているとともに、当該孔４８を中心として、多数の長孔状のスリット４９が放射状かつ等角度間隔で形成されている。
【００３８】
さらにホルダ３１の表面には、導電性を有する弾性材でなる３個のブラシ４２Ａ、４２Ｂ及び４２Ｃが設けられており、当該ブラシ４２Ａ、４２Ｂ及び４２Ｃはそれぞれ図示しない配線を介してディスクジョグインターフェース２４内の回転検出部２６と電気的に接続されている。なおブラシ４２Ａ及び４２Ｂは、ダイヤル本体３３の裏面に固定されたスケール３２のスリット４９に接し、ブラシ４２Ｃはスケール３２の周縁部裏面と常時接するように配置されている。
【００３９】
一方ホルダ３１の裏面には、図５（Ａ）に示すように４個のスイッチ押圧用突起４３がそれぞれ周辺スイッチ３６Ａ〜３６Ｄ（図４）に対応する位置に設けられている。そしてベース３０にホルダ３１をセットした状態において、図５（Ｂ）に示すように各スイッチ押圧用突起４３がそれぞれ対応する周辺スイッチ３６上に位置するようになされている。そして、ダイヤル４７を介してホルダ３１に対し矢印Ａ方向に押圧力が加えられると、スイッチ押圧用突起４３が対応する周辺スイッチ３６を押圧してオン状態とするようになされている。
【００４０】
またダイヤル保持筒４１に中央ボタン３５を挿入した状態において、当該中央ボタン３５の底面は中央スイッチ３６Ｘ（図４）上に位置する。そして中央ボタン３５に対し押圧力が加えられると、当該中央ボタン３５の底面が中央スイッチ３６Ｘを押圧してオン状態とするようになされている。
【００４１】
さらに、ホルダ３１の表面周縁部にはクリック突起４５が凸設されており、ダイヤル３３の裏面に設けられた波状のクリック凹凸４６と遊嵌することにより、スケール３２、ダイヤル本体３３及び操作ダイヤル３４からなるダイヤル４７をユーザが回転操作したときに、所定回転角度毎のクリック感（以下、これを回転クリックと呼ぶ）を発生し、当該ダイヤル４７を所定回転角度を単位として回転させるとともに、ユーザに対してダイヤル４７の回転操作量を触感を介して通知するようになされている。
【００４２】
ダイヤル本体３３の中心部にはダイヤル保持筒４１を挿通する孔５０が設けられている。また、ダイヤル本体３３の表面における周縁部近傍には円筒状の伝動突起５１が設けられており、当該伝動突起５１が操作ダイヤル３４の裏面に形成された伝動凹部５１に嵌合することにより、操作ダイヤル３４に加えられた回転力をダイヤル本体３３に伝動する。
【００４３】
操作ダイヤル３４の表面には、回転操作時に適度な摩擦を生じて操作性を向上するための多数の溝５２が放射状に形成されている。また、操作ダイヤル３４の表面中心部には中心孔５３が設けられており、ダイヤル保持筒４１に挿通された中央ボタン３５の頂部３５Ｂを露出して当該中央ボタン３５を押圧操作し得るようになされている。
【００４４】
次にディスクジョグ９に対する回転操作について説明する。図７に示すようにディスクジョグ９のダイヤル４７を矢印Ｔ方向又はその逆方向に回転操作すると、この回転操作力が操作ダイヤル３４に形成された伝動凹部５１（図４）に嵌合された伝動突起５１を介してダイヤル本体３３に伝わり、当該ダイヤル本体３３がスケール３２とともに回転することにより、ブラシ４２Ｃとブラシ４２Ａの間、及びブラシ４２Ｃと４２Ｂの間の電気的導通状態が変化する。
【００４５】
上述したようにブラシ４２Ｃは常時スケール３２と導通している。そして、ブラシ４２Ａがスケール３２のスリット４９上に位置している場合、当該ブラシ４２Ａとスケール３２とは導通せず、これによりブラシ４２Ｃとブラシ４２Ａとは導通しない。逆にブラシ４２Ａがスケール３２におけるスリット４９の無い部分に位置している場合、当該ブラシ４２Ａとスケール３２とは導通し、これによりブラシ４２Ｃとブラシ４２Ａとはスケール３２を介して導通する。ブラシ４２Ｂについても同様である。
【００４６】
このようにダイヤル４７を回転操作すると、ブラシ４２Ｃとブラシ４２Ａの間、及びブラシ４２Ｃと４２Ｂの間の導通状態がパルス状に変化する（以下、これを回転パルスと呼ぶ。）。ＣＰＵ２０はこの２つの回転パルスに基づいてダイヤル４７に対する回転操作量（すなわち回転角度）及び回転方向を検出する。
【００４７】
なお、ディスクジョグ９においてはダイヤル４７の回転角に制限が無く、このためダイヤル４７を回転するだけで連続的な操作を容易に入力できるとともに、ダイヤル４７の回転速度をユーザが可変することにより任意の間隔で操作を入力することができる。
【００４８】
次にディスクジョグ９に対する押圧操作について説明する。図７に示すように、ダイヤル４７における中心よりも上側の部分を押圧操作すると（矢印Ｕ方向）、ダイヤル４７はホルダ３１とともに揺動し、これによりホルダ３１のスイッチ押圧用突起４３（図５（Ａ））が周辺スイッチ３６Ａ（図４）を押圧してオン状態とする。同様にダイヤル４７における中心よりも右側の部分を押圧操作すると（矢印Ｒ方向）周辺スイッチ３６Ｂがオン状態となり、中心よりも下側の部分を押圧操作すると（矢印Ｄ方向）周辺スイッチ３６Ｃがオン状態となり、中心よりも左側の部分を押圧操作すると（矢印Ｌ方向）周辺スイッチ３６Ｄがオン状態となる。
【００４９】
また、ダイヤル４７の中心に露出している中央ボタン３５の頂部３５Ａを押圧すると（図７）、これにより当該中央ボタン３５の底部が中央スイッチ３６Ｘ（図４）を押圧してオン状態とする。
【００５０】
ＣＰＵ２０はこれらの５個のスイッチ３６（周辺スイッチ３６Ａ〜３６Ｄ及び中央スイッチ３６Ｘ）の導通状態に基づいて、ダイヤル４７に対する上下左右方向への押圧操作（以下、これを十字方向押圧操作と呼ぶ）及び中央ボタン３５に対する押圧操作（以下、これを中央押圧操作と呼ぶ）を検出する。
【００５１】
実際上ＣＰＵ２０は上述したディスクジョグ９に対する操作をディスクジョグ監視プログラム（すなわちディスクジョグドライバ）によって監視し、操作の発生を検出すると、これに応じて割込信号を発生して各種プログラムに通知する。
【００５２】
かくしてディスクジョグ９においては、ダイヤル４７に対する多方向押圧操作としての十字方向押圧操作や中央ボタン３５に対する中央押圧操作、並びにダイヤル４７に対する回転操作を容易に入力し得るようになされている。
【００５３】
（４）携帯電話機の画像編集処理
次に、携帯電話機１における画像編集処理を説明する。
【００５４】
携帯電話機１のＣＰＵ２０は、メインメニュー画面（図示せず）上で「画像編集」メニューが選択されると、後述する画像編集プログラムを起動して画像編集モードに移行し、図８に示す画像編集画面１００を表示部１０に表示する。
【００５５】
画像編集画面１００においては、その全体に編集対象となる画像Ｐｉｃが表示されるとともに、その下部には、後述する操作モード（回転モード又は拡大縮小モード）を表示するモード表示部１０１が表示される。なおモード表示部１０１は半透明表示され、編集画像Ｐｉｃをモード表示部１０１で隠蔽することが無いようになされている。またＣＰＵ２０は、画像編集画面１００の表示開始時点において操作モードを回転モードで起動し、中央ボタン３５に対する連続的な押圧操作（以下、これを長押し操作と呼ぶ）に応じて拡大縮小モード及び回転モードを交互に切り換える。
【００５６】
そしてＣＰＵ２０は、ディスクジョク９に対する回転操作及び十字方向押圧操作に応じて、編集画像Ｐｉｃに対し操作モードに対応して拡大縮小、回転、上下左右への移動といった画像編集処理を施す。
【００５７】
すなわち回転モードにおいてディスクジョク９のダイヤル４７が右回りに回転操作されると、ＣＰＵ２０はこれに応じてモード表示部１０１の中心を回転軸として編集画像Ｐｉｃを右回りに回転する。同様にダイヤル４７が左回りに回転操作されると、ＣＰＵ２０は編集画像Ｐｉｃを左回りに回転する。このときＣＰＵ２０は、ダイヤル４７に対する１回転クリックに応じて、所定の基準回転角だけ編集画像Ｐｉｃを回転させる。なお、この基準回転角はユーザが任意に変更し得るようになされている。
【００５８】
かくしてＣＰＵ２０は回転モードにおいて、ダイヤル４７の回転操作量及び回転操作方向に応じて編集画像Ｐｉｃを回転させる。
【００５９】
ここで携帯電話機１においては、ダイヤル４７の回転軸方向と、画像編集処理における画像Ｐｉｃの回転軸方向とがほぼ一致している。これにより、ダイヤル４７の回転操作方向に同一方向に画像Ｐｉｃが回転し、あたかも実際に指で画像Ｐｉｃを回転しているかのような、直感的でリアルな操作感をユーザに対して与えることができる。
【００６０】
また拡大縮小モードにおいて、ディスクジョク９のダイヤル４７が右回りに回転操作されると、ＣＰＵ２０はこれに応じて編集画像Ｐｉｃを拡大する。同様にダイヤル４７が左回りに回転操作されると、ＣＰＵ２０は編集画像Ｐｉｃを縮小する。このときＣＰＵ２０は、ダイヤル４７に対する１回転クリックに応じて、所定の基準拡大／縮小率で編集画像Ｐｉｃを拡大又は縮小する。この拡大／縮小率もユーザが任意に変更し得るようになされている。
【００６１】
さらに回転モード及び拡大縮小モードの両操作モードにおいて、ダイヤル４７が十字方向押圧操作されると、ＣＰＵ２０はこれに応じて編集画像Ｐｉｃを押圧操作された方向に移動する。
【００６２】
ここで図９に示すように、ＣＰＵ２０は表示部１０の表示可能範囲２００よりも一回り大きな画像移動可能範囲２０１を仮想的に認識しており、編集画像Ｐｉｃの中心座標ＰＣが当該画像移動可能範囲２０１の範囲内にあるかを監視する。そして押圧操作によって中心座標ＰＣが画像移動可能範囲２００の範囲外に出ると判断した場合、当該移動操作を無視して画像の移動を行わない。これによりＣＰＵ２０は、移動操作によって画像が表示部１０の表示範囲２００の外に移動して表示されなくなることを防止する。
【００６３】
なおＣＰＵ２０は画像編集処理において、ダイヤル４７及び中央ボタン３５に対する押圧操作の短長に応じて異なる処理を行う。すなわち、回転モード及び拡大縮小モードの両操作モードにおいて、ダイヤル４７に対し瞬間的な押圧操作（以下、これを単押し操作と呼ぶ）が加えられた場合、ＣＰＵ２０は当該単押し操作一回について所定の基準移動量だけ画像を移動する。これに対してダイヤル４７に対し長押し操作が加えられた場合、ＣＰＵ２０は当該長押し操作が継続されている間、所定の基準繰返時間（例えば０．５秒）毎に上記基準移動量だけ画像を移動する。この基準移動量もユーザが任意に変更し得るようになされている。
【００６４】
また、回転モード及び拡大縮小モードの両操作モードにおいて、中央ボタン３５が長押し操作されると、ＣＰＵ２０は上述したように操作モードを切り換えるのに対し、中央ボタン３５が単押し操作されると、ＣＰＵ２０は画像編集を確定して画像編集処理を終了する。
【００６５】
（５）画像編集処理の操作例
次に、携帯電話機１における実際の画像編集処理の操作例を説明する。
【００６６】
図１０は、携帯電話機１のカメラ部１３で撮影した画像Ｐｉｃ（図１０（Ａ））の傾きを修正する場合の操作例を示している。この場合、画像Ｐｉｃと表示部１０の表示可能範囲２００は同一サイズである。
【００６７】
ユーザによって画像編集処理の起動操作が入力されると、図１０（Ｂ）に示すようにＣＰＵ２０は当該画像編集処理を回転モードで起動する。この状態においてダイヤル４７が右回りに回転操作されると、ＣＰＵ２０はこれに応じて画像Ｐｉｃを右回りに回転表示する。
【００６８】
ここで、表示部１０の表示可能範囲２００と同一サイズの画像Ｐｉｃを回転すると、当該表示部１０には画像が表示されない空白部分が生じる。この場合操作モードを拡大縮小モードに切り換えて回転後の画像Ｐｉｃを拡大すれば、空白部分を埋めることができる。
【００６９】
すなわち中央ボタン３５が長押しされると、ＣＰＵ２０はこれに応じて操作モードを拡大縮小モードに切り換える（図１０（Ｃ））。この状態においてダイヤル４７が右回りに回転操作されると、ＣＰＵ２０はこれに応じて画像Ｐｉｃを拡大する。そして中央ボタン３５に対する単押し操作に応じて、ＣＰＵ２０は画像編集を確定して画像編集処理を終了する（図１０（Ｄ））。
【００７０】
かくしてユーザは、画像Ｐｉｃを回転して傾きを修正するとともに画像回転に伴って生じる空白部分を画像Ｐｉｃを拡大して埋めるといった処理を、ディスクジョグ９を操作するだけで容易に行うことができる。
【００７１】
次に、カメラ部１３で撮影した画像Ｐｉｃ（図１１（Ａ））の任意の一部を拡大して表示部１０全体に表示する場合の操作を図１１を用いて説明する。
【００７２】
ユーザによって画像編集処理の起動操作が入力されると、図１１（Ｂ）に示すようにＣＰＵ２０は当該画像編集処理を回転モードで起動する。この状態においてダイヤル４７が右回りに回転操作されると、ＣＰＵ２０はこれに応じて画像Ｐｉｃを拡大する。
【００７３】
このようにして画像Ｐｉｃを任意の大きさに拡大した後、ダイヤル４７を上下左右に押圧操作して画像Ｐｉｃを移動させることにより、当該画像Ｐｉｃ内の任意部分を表示部１０の中心に表示させることができる。
【００７４】
すなわち図１１（Ｃ）に示すように、ダイヤル４７が押圧操作されると、ＣＰＵ２０はこれに応じて画像Ｐｉｃを移動する。そして、中央ボタン３５に対する単押し操作に応じて、ＣＰＵ２０は画像編集を確定して画像編集処理を終了する（図１１（Ｄ））。
【００７５】
かくしてユーザは、画像Ｐｉｃの任意の一部を拡大して表示部１０全体に表示するといった処理を、ディスクジョグ９を操作するだけで容易に行うことができる。
【００７６】
（６）画像編集処理手順
次に、上述した画像編集処理を行うための処理手順を、図１２に示すフローチャートを用いて詳細に説明する。
【００７７】
画像処理手段としてのＣＰＵ２０は、メインメニュー画面上で「画像編集」メニューが選択されると、画像編集プログラムをＲＯＭ２３から読み出して実行することにより画像編集モードに移行し、図１２に示す画像編集処理手順のルーチンＲＴ１の開始ステップから入ってステップＳＰ１に移る。このときＣＰＵ２０は操作モードを回転モードとする。ステップＳＰ１においてＣＰＵ２０は、上述した画像編集画面１００を表示部１０に表示するとともに当該画像編集画面１００内に編集対象の画像を表示し、次のステップＳＰ２に移る。
【００７８】
ステップＳＰ２においてＣＰＵ２０は、ディスクジョグドライバからの割込の有無に基づいてユーザによるディスクジョグ９の操作の有無を判断する。そして当該割込が発生すると、ＣＰＵ２０はディスクジョグ９が操作されたと判断して次のステップＳＰ３に移る。
【００７９】
ステップＳＰ３においてＣＰＵ２０は、ディスクジョグ９に加えられた操作が回転操作であるか、それとも押圧操作であるかを判断する。そしてステップＳＰ３において、ディスクジョグ９に加えられた操作が回転操作であると判断した場合、ＣＰＵ２０はステップＳＰ４に移る。
【００８０】
ステップＳＰ４においてＣＰＵ２０は現在の操作モードを確認して次のステップＳＰ５に移り、ディスクジョグ９の回転操作方向を検出する。ステップＳＰ５においてディスクジョグ９が右方向に回転操作されたと判断した場合、ＣＰＵ２０はステップＳＰ６に移り、回転操作量に応じて画像を拡大（拡大縮小モード時）あるいは画像を右回転（回転モード時）してステップＳＰ２に戻る。これに対してステップＳＰ５においてディスクジョグ９が左方向に回転操作されたと判断した場合、ＣＰＵ２０はステップＳＰ７に移り、回転操作量に応じて画像を縮小（拡大縮小モード時）あるいは画像を左回転（回転モード時）してステップＳＰ２に戻る。
【００８１】
かくして画像処理手段としてのＣＰＵ２０はダイヤル４７に対する回転操作に応じて、画像Ｐｉｃを回転又は拡大縮小する。
【００８２】
一方ステップＳＰ３において、ディスクジョグ９に加えられた操作が押圧操作であると判断した場合、ＣＰＵ２０はステップＳＰ８に移り、ディスクジョグ９に加えられた押圧操作がダイヤル４７に対する十字方向押圧操作か、あるいは中央ボタン３５に対する中央押圧操作かを判断する。
【００８３】
ステップＳＰ８において、ディスクジョグ９に加えられた操作がダイヤル４７に対する十字方向押圧操作であると判断した場合、ＣＰＵ２０はステップＳＰ９に移って現在表示されている画像Ｐｉｃの中心座標を認識し、次のステップＳＰ１０に移る。
【００８４】
そしてステップＳＰ１０においてＣＰＵ２０は、十字方向押圧操作に応じて画像Ｐｉｃを移動したとき、当該画像Ｐｉｃの中心が上述した画像移動可能範囲２０１の範囲内にあるかを判断する。
【００８５】
ステップＳＰ１０において否定結果が得られた場合、このことは十字方向押圧操作に応じて画像Ｐｉｃを移動すると、当該画像Ｐｉｃの中心が画像移動可能範囲２０１の範囲外に出てしまうことを表しており、このときＣＰＵ２０は画像Ｐｉｃを移動することなくステップＳＰ２に戻る。これに対してステップＳＰ１０において肯定結果が得られた場合、このことは十字方向押圧操作に応じて画像Ｐｉｃを移動しても、当該画像Ｐｉｃの中心が画像移動可能範囲２０１の範囲内にあることを表しており、このときＣＰＵ２０はステップＳＰ１１に移る。
【００８６】
ステップＳＰ１１においてＣＰＵ２０は、ダイヤル４７に加えられた十字方向押圧操作が長押し操作であるか否かを判断する。ステップＳＰ１１において否定結果が得られた場合、このことはダイヤル４７に加えられた十字方向押圧操作が単押し操作であることを表しており、このときＣＰＵ２０はステップＳＰ１２に移り、押圧操作の方向（上、下、左又は右）へ上述した基準移動量だけ画像Ｐｉｃを移動し、ステップＳＰ２に戻る。
【００８７】
これに対してステップＳＰ１１において肯定結果が得られた場合、このことはダイヤル４７に加えられた十字方向押圧操作が長押し操作であることを表しており、このときＣＰＵ２０はステップＳＰ１３に移る。
【００８８】
ステップＳＰ１３においてＣＰＵ２０は、押圧操作の方向へ上述した基準移動量だけ画像Ｐｉｃを移動した後ステップＳＰ１４に移り、ダイヤル４７に対する長押し操作が継続しているか否かを判断する。ステップＳＰ１４において長押し操作が継続していると判断した場合、ＣＰＵ２０はステップＳＰ１３に戻って再度画像を移動するのに対し、ステップＳＰ１４において長押し操作が継続していないと判断した場合、ＣＰＵ２０はステップＳＰ２に戻る。
【００８９】
かくして画像処理手段としてのＣＰＵ２０は、ダイヤル４７に対する十字方向押圧操作に応じて画像Ｐｉｃを移動する。
【００９０】
一方ステップＳＰ８において、ディスクジョグ９に加えられた操作が中央ボタン３５に対する中央押圧操作であると判断した場合、ＣＰＵ２０はステップＳＰ１５に移り、当該中央押圧操作が長押し操作であるか否かを判断する。ステップＳＰ１５において肯定結果が得られた場合、このことは中央ボタン３５に対して長押し操作が加えられたことを表しており、このときＣＰＵ２０はステップＳＰ１６に移る。
【００９１】
ステップＳＰ１６においてＣＰＵ２０は、編集モードを回転モードから拡大縮小モードへ、あるいは拡大縮小モードから回転モードへ切り替えて次のステップＳＰ１７に移り、中央ボタン３５に対する長押し操作が継続しているか否かを判断する。ステップＳＰ１７において長押し操作が継続していると判断した場合、ＣＰＵ２０はステップＳＰ１６に戻って再度モード切り替えを行うのに対し、ステップＳＰ１７において長押し操作が継続していないと判断した場合、ＣＰＵ２０はステップＳＰ２に戻る。
【００９２】
また、ステップＳＰ１５において否定結果が得られた場合、このことは中央ボタン３５に対して単押し操作が加えられたことを表しており、このときＣＰＵ２０はステップＳＰ１８に移って画像Ｐｉｃに対する画像編集を確定し、ステップＳＰ１９に移って画像編集処理を終了する。
【００９３】
（７）動作及び効果
以上の構成において、携帯電話機１のＣＰＵ２０は画像編集モード時、その操作モードが回転モードである場合、ジョグダイヤル９のダイヤル４７に対する回転操作に応じて編集対象の画像Ｐｉｃを回転し、操作モードが拡大縮小モードである場合、ダイヤル４７に対する回転操作に応じて画像Ｐｉｃを拡大又は縮小する。これにより携帯電話機１においては、画像の回転や拡大縮小を直感的かつ容易に操作することができる。
【００９４】
特に携帯電話機１においては、ダイヤル４７の回転軸方向と画像編集処理における画像Ｐｉｃの回転軸方向とがほぼ一致していることから、ダイヤル４７の回転操作方向に画像Ｐｉｃが回転し、あたかも実際に指で画像Ｐｉｃを回転しているかのような、直感的でリアルな操作感をユーザに対し与えることができる。
【００９５】
ここで上述したようにディスクジョグ９においては、従来のキーを用いた入力方法に比べ、ダイヤル４７を回転操作するだけで連続的な操作を高速かつ容易に入力し得るとともに、ダイヤル４７の回転速度に応じて任意の速度で操作を入力することができる。このため携帯電話機１においては、従来のキーを用いた入力方法に比べ、１操作（ダイヤル４７の１回転クリック）に対する基準回転角や基準拡大／縮小率を小さくすることが可能になり、これにより従来に比してより精密な画像編集を行うことができる。
【００９６】
また携帯電話機１のＣＰＵ２０は回転モード及び拡大縮小モードの両操作モードにおいて、ジョグダイヤル９のダイヤル４７に対する十字方向押圧操作に応じて編集対象の画像Ｐｉｃを移動する。さらに携帯電話機１のＣＰＵ２０は回転モード及び拡大縮小モードの両操作モードにおいて、中央ボタン３５に対する長押し操作に応じて操作モードを切り換えるとともに、中央ボタン３５に対する単押し操作に応じて画像編集モードを終了する。
【００９７】
このように携帯電話機１においては、画像の回転操作や拡大縮小操作に加えて画像の移動操作や操作モードの切り替え、さらには画像編集モードの終了操作といった様々な画像処理操作を、ディスクジョグ９のみを用いて入力することができる。
【００９８】
また携帯電話機１においては、上述したようにダイヤル４７の１回転クリックに対する基準回転角や基準拡大／縮小率、及びダイヤル４７の十字方向押圧操作に対する基準移動量をユーザが任意に変更し得るようにしたことにより、ディスクジョグ９の応答性をユーザの好みに応じて調整することができる。例えば、精密な角度決めを行いたい場合は基準回転角を小さく設定すればよい。
【００９９】
さらにディスクジョグ９においては、ダイヤル４７及び中央ボタン３５がコンパクトかつ一体的に構成されていることから、携帯電話機１を小型化し得るとともに一本の指（例えば親指）のみで各種操作を入力し得、これにより携帯電話機１の操作性を向上することができる。
【０１００】
以上の構成によれば、回転操作、十字方向押圧操作及び中心押圧操作を入力可能なディスクジョグ９を介して編集対象画像の回転操作、拡大縮小操作、移動操作、操作モードの切り替え及び画像編集モードの終了操作を入力し得るようにしたことにより、ディスクジョグ９のみを操作するだけで容易に画像編集を行うことができる。
【０１０１】
また、ジョグダイヤル９のダイヤル４７に対する回転操作に応じて編集対象画像を回転や拡大縮小するようにしたことにより、１操作入力当たりの基準回転角や基準拡大／縮小率を小さくし得、従来に比してより精密な画像編集を行うことができる。
【０１０２】
（８）他の実施の形態
なお上述の実施の形態においては、ディスクジョグ９の回転操作に応じて画像を回転及び拡大縮小するようにしたが、本発明はこれに限らず、画像編集処理のにおける様々な処理をディスクジョグ９で操作し得るようにしても良い。例えば図１３は、画像Ｐｉｃに対してフレームＦ１、Ｆ２又はＦ３のいずれかを選択して合成する場合を示し、ジョグダイヤル９のダイヤル４７に対する十字方向押圧操作に応じて画像Ｐｉｃを移動するとともに、ダイヤル４７に対する回転操作に応じてフレームを選択するようにすれば、フレーム選択及びフレームに対する画像の位置決めをディスクジョグ９のみで操作することができる。
また、画像Ｐｉｃの輝度や色相といった各種パラメータをディスクジョグ９で変更し得るようにすれば、簡易な操作で容易にパラメータを変更することができる。
【０１０３】
また上述の実施の形態においては、ディスクジョグ９のダイヤル４７に上下左右の４方向の押圧操作を入力し得るようにしたが、本発明はこれに限らず、上下左右の４方向に加えて右上、右下、左上、左下等のさらなる方向の押圧操作を入力し得るようにしてもよい。
【０１０４】
また上述の実施の形態においては、予め設定された画像移動可能範囲２０１に基づいて、画像移動の可否を決定するようにしたが、本発明はこれに限らず、画像移動可能範囲をユーザが任意に変更し得るようにしてもよい。この場合、ユーザの好みに応じて画像移動可能範囲を設定することができ、画像編集処理の操作性をより向上することができる。
【０１０５】
さらに上述の実施の形態においては、ディスクジョグ９を備える携帯電話機１に本発明を適用した場合について述べたが、本発明はこれに限らず、ディスクジョグを備えるとともに画像編集機能を有する装置であれば、例えばＰＤＡ（Personal Data Assistant）やパーソナルコンピュータ等の情報処理装置やディジタルカメラ等、様々な装置に本発明を適用することができる。
【０１０６】
【発明の効果】
上述のように本発明によれば、双方向に対する回転操作及び多方向に対する押圧操作並びに当該多方向の中心部に対する中心押圧操作が可能な多機能入力手段と、多機能入力手段に対する操作に応じて編集対象画像に対する画像処理を行う画像処理手段とを画像編集装置に設け、画像処理手段は、多機能入力装置が連続的に中心押圧操作されたとき、操作モードを回転モードから拡大縮小モードへ又は拡大縮小モードから回転モードへ切り替え、操作モードが回転モードに設定されているとき、回転操作に応じて編集対象画像を回転し、操作モードが拡大縮小モードに設定されているとき、上記回転操作に応じて上記編集対象画像を拡大又は縮小し、多機能入力手段が多方向のうちの一つの方向に押圧操作されたとき、編集対象画像を押圧操作された方向に移動するとともに、編集対象画像が当該編集対象画像を表示する表示可能範囲より大きな画像移動範囲の外に移動するよう多機能入力手段が押圧操作されたとき、当該編集対象画像の中心を画像移動範囲内に留め、多機能入力装置が瞬間的に中心押圧操作されたとき、編集対象画像に対する編集操作を確定するようにしたことにより、多機能入力手段のみを操作するだけで、容易かつ直感的に画像編集処理を行い得る画像編集装置を実現できる。
【図面の簡単な説明】
【図１】本発明による携帯電話機の全体構成を示す斜視図である。
【図２】カメラ部の回動状態を示す斜視図である。
【図３】携帯電話機の回路構成を示すブロック図である。
【図４】ディスクジョグの構造を示す略線図である。
【図５】ホルダの裏面構造を示す略線図である。
【図６】ダイヤル本体の裏面構造を示す略線図である。
【図７】ディスクジョグに対する操作の説明に供する斜視図である。
【図８】画像編集画面を示す略線図である。
【図９】画像編集可能範囲の説明に供する略線図である。
【図１０】画像編集操作の説明に供する略線図である。
【図１１】画像編集操作の説明に供する略線図である。
【図１２】画像編集処理手順を示すフローチャートである。
【図１３】フレーム合成の説明に供する略線図である。
【符号の説明】
１……携帯電話機、２……ヒンジ部、３……下側筐体、４……上側筐体、５……アンテナ、６……マイクロホン、８……操作キー、９……ディスクジョグ、１０……表示部、１３……カメラ部、１４……ＣＣＤカメラ、１５……スピーカ、１６……メモリスティック、１７……メモリスティックスロット、２０……ＣＰＵ、２１……送受信部、２２……ＲＡＭ、２３……ＲＯＭ。
【図１】
0003937312.tif 000002
【図２】
0003937312.tif 000003
【図３】
0003937312.tif 000004
【図４】
0003937312.tif 000005
【図５】
0003937312.tif 000006
【図６】
0003937312.tif 000007
【図７】
0003937312.tif 000008
【図８】
0003937312.tif 000009
【図９】
0003937312.tif 000010
【図１０】
0003937312.tif 000011
【図１１】
0003937312.tif 000012
【図１２】
0003937312.tif 000013
【図１３】
0003937312.tif 000014